(57)【要約】      （修正有）【課題】浮き輪等の空気入れ商品に使用される空気注入弁の改良に関し、意に反して安易に外弁が抜け落ちないように工夫された空気注入弁を提供する。【解決手段】弁本体１と、注排気口１ａに着脱自在に挿着される外弁２と、前記注排気口１ａに開閉自在に配設される内弁３と、外弁２の抜け落ちを防止するためのストッパー５とを備える。外弁２は、前記注排気口１ａ内に気密に閉塞される栓体２ａが連設されている。ストッパー５は、注排気口１ａの近傍に設けられた雌状の係止孔５ａと、該係止孔５ａ内に着脱自在に挿着されるべく前記外弁２の延長上に設けられた雄状の係止部５ｂとを備える。係止孔５ａは、軟性の合成樹脂材からなる取付片５ｃを介して形成されており、前記栓体２ａを注排気口１ａ内に圧入した際、係止部５ｂと整合できるように延設せしめる。【選択図】図１
0003117668.tif 000002
【実用新案登録請求の範囲】
【請求項１】
弁本体の注排気口内に着脱自在に取り付けられる外弁を備えてなる空気注入弁において、前記弁本体は、前記外弁の安易な抜け落ちを防止するためのストッパーを設けてなることを特徴とする空気注入弁。
【請求項２】
弁本体の注排気口に着脱自在に圧入される栓体を有する外弁と、前記注排気口の下端開口に開閉自在に配設される内弁とを備えてなる空気注入弁において、前記弁本体は、前記外弁及び／又は栓体の安易な抜け落ちを防止するためのストッパーを設けてなることを特徴とする空気注入弁。
【請求項３】
前記ストッパーは、弁本体に設けられた雌状の係止孔と、該係止孔内に着脱自在に挿着されるべく前記外弁に設けられた雄状の係止部とを備えてなることを特徴とする請求項１又は２に記載の空気注入弁。
【考案の詳細な説明】
【技術分野】
【０００１】
本考案は、主として浮き輪等の空気入れ商品に使用される空気注入弁の改良に関し、更に詳しくは、意に反して安易に外弁が抜け落ちないように工夫された有用な空気注入弁に関する。
【背景技術】
【０００２】
一般的に、空気注入弁は、塩化ビニル、オレフィン、ポリウレタン等の合成樹脂材から形成され、浮き輪や浮袋等の空気入れ商品に幅広く採用されている。従来、斯かる空気注入弁としては、例えば、注排気口に開閉自在に止着される栓体を有する外弁と、前記注排気口の下端開口に開閉自在に配設される内弁とを備えてなる空気注入弁がある（例えば、特許文献１参照）。
【特許文献１】特開２００１−３１４２８５号
【考案の開示】
【考案が解決しようとする課題】
【０００３】
しかしながら、上述した従来の空気注入弁にあっては、外弁が意に反して外れてしまうといった問題があり、特に、プールや海川で使用する浮き輪等の場合にあって、外弁が抜けることは、単なる空気漏れを来すだけではなく、水難事故にもつながる問題である。
【０００４】
また、斯かる空気注入弁には、内弁が付設されてはいるものの、同弁は空気の急激な漏れを防ぐ補助弁であり、空気を完全に止めるものではないことも相俟って、外弁の重要性が高く、昨今では、使用時に意に反して外弁が安易に外れてしまうことのない安全な空気注入弁が要望されている。
【０００５】
本考案は斯かる問題点及び要望に鑑みてなされたもので、一旦、差し込んだ外弁が意に反して安易に抜けることがないように工夫されたストッパー付きの安全な空気注入弁を提供することを目的とするものである。
【課題を解決するための手段】
【０００６】
上述の如き従来の問題点を解決し、所期の目的を達成するため本考案の要旨とする構成は、弁本体の注排気口内に着脱自在に取り付けられる外弁とを備えてなる空気注入弁において、前記弁本体は、前記外弁の安易な抜け落ちを防止するためのストッパーを設けてなる空気注入弁に存する。
【０００７】
また、本考案は、弁本体の注排気口に着脱自在に圧入される栓体を有する外弁と、前記注排気口の下端開口に開閉自在に配設される内弁とを備えてなる空気注入弁において、前記弁本体は、前記外弁及び／又は栓体の安易な抜け落ちを阻止するためのストッパーを有する空気注入弁に存する。
【０００８】
前記ストッパーは、弁本体に設けられた雌状の係止孔と、該係止孔内に着脱自在に挿着されるべく前記外弁に設けられた雄状の係止部とを備えるのが良い。
【考案の効果】
【０００９】
本考案は上述のように構成され、前記弁本体が、前記外弁及び／又は栓体の安易な抜け落ちを阻止するためのストッパーを有することによって、このストッパーを外さない限り、外弁及び／又は栓体が抜けることがないため、従来の如く意に反した外弁の抜け落ちを防止できるといった効果を奏する。
【００１０】
前記ストッパーが、弁本体に設けられた雌状の係止孔と、該係止孔内に着脱自在に挿着されるべく前記外弁に設けられた雄状の係止部とを備えることによって、係止部を前記係止孔内に止め入れるだけの簡単操作で、確実に外弁を抜け止め状態に保持できるといった効果を奏する。
【００１１】
このように本考案は、意に反した栓体の安易な抜け落ちを防止できると共に、構成が単純であるため大量生産に適し、価格も低廉なものとして需要者に供給できるなど、本考案を実施することはその実益的価値が甚だ大である。
【考案を実施するための最良の形態】
【００１２】
弁本体に雌状の係止孔を設けると共に、該係止孔内に着脱自在に挿着されるべく前記外弁に雄状の係止部を設けることで、外弁の意に反した安易な抜け落ちを防止するためのストッパーを構成する。
【実施例】
【００１３】
次に、本考案の実施の一例を図面を参照しながら説明する。図中Ａは、本考案に係る空気注入弁であり、この空気注入弁Ａは、塩化ビニル樹脂、ウレタン樹脂、オレフィン樹脂等の適宜合成樹脂材から成形された弁本体１と、注排気口１ａに着脱自在に挿着される外弁２と、前記注排気口１ａに開閉自在に配設される内弁３と、外弁２の抜け落ちを防止するためのストッパー５とを備えている。
【００１４】
弁本体１は、上端側に注排気口１ａを有し、下端側に空気入れ商品４の空気孔４ａを気密に囲繞すべく拡径した弁室部１ｂが形成されている。
【００１５】
外弁２は、前記注排気口１ａ内に気密に閉塞される栓体２ａが連設されている。この栓体２ａは、外周面が先端に行くに連れて次第に細くなるようにテーパー面を有しており、前記注排気口１ａ内に圧入されるものである。
【００１６】
内弁３は、空気入れ商品の空気圧により、常時、閉弁方向（上方）に押圧されているため、外弁２を注排気口１ａから外しただけでは、空気が外部に急激に漏れることがなく、内弁３の部分を指で押圧したり、空気抜き棒(図示せず)を注排気口１ａ内に挿入して内弁３を前記空気圧に抗して押し下げない限り、開弁することはない。
【００１７】
ストッパー５は、注排気口１ａの近傍に設けられた雌状の係止孔５ａと、該係止孔５ａ内に着脱自在に挿着されるべく前記外弁２の延長上に設けられた雄状の係止部５ｂとを備えている。
【００１８】
係止孔５ａは、軟性の合成樹脂材からなる取付片５ｃを介して形成されており、前記栓体２ａを注排気口１ａ内に圧入した際、係止部５ｂと整合できるように延設されている。
【００１９】
このように構成される本考案の空気注入弁は、まず、空気を入れる場合、外弁２を外して注排気口１ａから空気を吹き込むだけで、内弁３が開弁方向（下方）に動き、また、吹き込みを止めるや否や、同弁３が閉弁してしまうため、注排気口１ａの上端開口１ｂ１  を閉塞すべく指で押さえる必要がないなど、安易な空気漏れを防止することができる。
【００２０】
次いで、空気を入れ終わったら、前記外弁２の栓体２ａを注排気口１ａ内に圧入すると共に、図５に示すように、ストッパー５の係止部５ｂを前記係止孔５ａ内に挿着させるだけで、外弁２が簡単に抜け止め状態に保持されるため、意に反した外弁２の安易な抜け落ちを確実に防止することができる。
【００２１】
また、空気を抜く場合は、前記係止孔５ａから係止部５ｂを外してストッパー５を解除した後、外弁２（詳しくは、栓体２ａ）を注排気口１ａから抜いて開放した状態で、手指で弁本体１の内弁３を開弁させるべく押圧したり、空気抜き棒(図示せず)を注排気口１ａ内に挿入し、内弁３を空気圧に抗して押し下げることで、簡単に空気を抜くことができることは云うまでもない。
【００２２】
尚、本考案はこれら実施例に限定されることなく、本考案の目的の範囲内で自由に設計変更し得るものであり、本考案はそれらの全てを包摂するものである。例えば、ストッパー５の取付位置及び個数は、本実施例で示した箇所及び語数に限定されるものではなく、図６に示すように、空気入れ商品の大きさ等に応じて複数設けても良い。
【００２３】
因に、本明細書で言及している「空気入れ商品」とは、浮き輪、空気マットの他、起き上がりパンチング袋、飛行機、自動車或いは動物等といった適宜形態に成形された全ての空気入り遊具及び商品を包摂するものであり、また、「抜け落ち」とは、外弁２若しくは栓体２ａが弁本体１及び／又は注排気口１ａから抜けたり外れたりすることであることは云うまでもない。
【図面の簡単な説明】
【００２４】
【図１】本考案に係る空気注入弁の開栓状態を示す斜視図である。
【図２】同空気注入弁の開栓状態を示す平面図である。
【図３】同空気注入弁の開栓状態を示す縦断面図である。
【図４】同空気注入弁の開栓状態を示す側面図である。
【図５】同空気注入弁の閉栓状態を示す斜視図である。
【図６】本考案に係る空気注入弁の他の実施例を示す説明図である。
【符号の説明】
【００２５】
Ａ  空気注入弁
１  弁本体
１ａ  注排気口
１ｂ  弁室部
２  外弁
２ａ  栓体
３  内弁
４  空気入れ商品
４ａ  空気孔
５  ストッパー
５ａ  係止孔
５ｂ  係止部
５ｃ  係止片
【図１】
0003117668.tif 000003
【図２】
0003117668.tif 000004
【図３】
0003117668.tif 000005
【図４】
0003117668.tif 000006
【図５】
0003117668.tif 000007
【図６】
0003117668.tif 000008